(57)【要約】【課題】全体的な処理時間を短縮することができる画像読取装置を得る。【解決手段】（Ａ）に示すように、写真フィルム上の複数の画像１２４のプレスキャン、処理対象画像１２４Ｓの指定及び処理対象画像１２４Ｓの検定後に、処理対象画像１２４Ｓの読取条件が設定可能な位置までは写真フィルムを高速搬送し、処理対象画像１２４Ｓの読取時には、ファインスキャン時の搬送速度で写真フィルムを搬送し、読取が終了した時点から写真フィルムの高速搬送を再開して写真フィルムを排出する。ここで、指定された処理対象画像が隣接する画像である場合は、（Ｂ）に示すように、処理対象画像１２４Ｓの読取を終了するまでは（Ａ）と同様に動作させ、その後は処理対象画像１２４Ｓ'の読取条件が設定可能な位置まで写真フィルムを戻した後に処理対象画像１２４Ｓ'のファインスキャンを行う。【選択図】図１３
2006191700.tif 000002
【特許請求の範囲】
【請求項１】
複数の画像が記録された読取対象原稿を照明する光源と、
前記複数の画像の各々が順次所定の読取位置に位置するように前記読取対象原稿を搬送する搬送手段と、
前記読取対象原稿に記録された各画像を複数画素に分解して読み取って画像データとして出力する画像センサと、
前記複数の画像のうちの読み取り対象とする画像を指定するための指定手段と、
前記指定手段によって指定された読み取り対象とする画像の読み取り開始位置又はその近傍が前記所定の読取位置に位置するまでは前記読み取り対象とする画像の濃度に応じた搬送速度より速い速度で前記読取対象原稿を搬送し、前記読み取り対象とする画像を読み取る際には前記読み取り対象とする画像の濃度に応じた搬送速度で前記読取対象原稿を搬送するように前記搬送手段を制御する制御手段と、
を備えた画像読取装置。
【請求項２】
前記指定手段によって指定された読み取り対象とする画像が複数であり、かつこれらの画像を連続して読み取るとき、前記制御手段は、隣接する読み取り対象とする画像における後に読み取る画像の読み取り開始までに前記後に読み取る画像の読取条件が設定できない場合には、前記読取条件が設定可能な位置まで前記読取対象原稿の位置を戻すように前記搬送手段を制御することを特徴とする請求項１記載の画像読取装置。
【請求項３】
前記読取条件が前記搬送手段による前記読取対象原稿の搬送速度であることを特徴とする請求項２記載の画像読取装置。
【請求項４】
前記制御手段は、前記読み取り対象とする画像の読み取り開始位置に基づいて、該読み取り対象とする画像の読み取り開始位置又はその近傍が前記所定の読取位置に位置するまで前記読み取り対象とする画像の濃度に応じた搬送速度より速い速度で前記読取対象原稿を搬送した方がよいか否かを判定し、該判定の結果、前記濃度に応じた搬送速度より速い速度で搬送した方がよいと判定された場合にのみ、前記読み取り対象とする画像の読み取り開始位置又はその近傍が前記所定の読取位置に位置するまで前記読み取り対象とする画像の濃度に応じた搬送速度より速い速度で前記読取対象原稿を搬送するように前記搬送手段を制御することを特徴とする請求項１記載の画像読取装置。
【請求項５】
複数の画像が記録された読取対象原稿を照明する光源と、
前記複数の画像の各々が順次所定の読取位置に位置するように前記読取対象原稿を搬送する搬送手段と、
前記読取対象原稿に記録された各画像を複数画素に分解して読み取って画像データとして出力する画像センサと、
前記複数の画像のうちの読み取り対象とする画像を指定するための指定手段と、
前記指定手段によって指定された読み取り対象とする画像に適した読取条件の設定が可能な設定可能位置が前記所定の読取位置に到達するまでは、前記読み取り対象とする画像の濃度に応じた搬送速度より速い速度で前記読取対象原稿を搬送し、前記設定可能位置が前記所定の読取位置に到達した後には前記読み取り対象とする画像の濃度に応じた搬送速度で前記読取対象原稿を搬送するように前記搬送手段を制御する制御手段と、
を備えた画像読取装置。
【請求項６】
前記設定可能位置は、前記読み取り対象とする画像の種別に適した前記読取条件の設定を、前記読み取り対象とする画像の読み取りに先立って終了することができる前記読取対象原稿上の位置であることを特徴とする請求項５記載の画像読取装置。
【請求項７】
複数の画像が記録された読取対象原稿を照明し、かつ前記複数の画像の各々が順次所定の読取位置に位置するように前記読取対象原稿を搬送すると共に、画像センサによって前記読取対象原稿に記録された各画像を複数画素に分解して読み取って画像データとして出力する画像読取方法であって、
前記読取対象原稿のうちの指定された読み取り対象とする画像の読み取り開始位置又はその近傍が前記所定の読取位置に位置するまでは前記読み取り対象とする画像の濃度に応じた搬送速度より速い速度で前記読取対象原稿を搬送し、前記読み取り対象とする画像を読み取る際には前記読み取り対象とする画像の濃度に応じた搬送速度で前記読取対象原稿を搬送するように制御する
ことを特徴とする画像読取方法。
【発明の詳細な説明】
【技術分野】
【０００１】
本発明は、画像読取装置及び画像読取方法に係り、特に、写真フィルム等の複数の画像が記録された読取対象原稿の各画像を読み取る画像読取装置及び画像読取方法に関する。
【背景技術】
【０００２】
近年、写真フィルムに記録されているフィルム画像をＲ、Ｇ、Ｂの各成分色に分解して読み取り、該読み取りによって得られた画像データに対して各種の補正等の画像処理を行った後に、記録材料への画像の記録やディスプレイへの画像の表示等を行う写真処理方法が提案されている。なお、ここでいう写真フィルムとは、被写体を撮影後、現像処理され、ネガ画像又はポジ画像が可視化されたフィルムをいう。
【０００３】
この種の写真処理方法でフィルム画像を読み取る際に用いられる画像読取装置では、画像読み取りの高速化を目的として、比較的高速でかつ低精細に画像を読み取る予備読み取り（以下、プレスキャンという）を行い、プレスキャンにより得られた画像データに基づいて、比較的低速でかつ高精細に画像を読み取る本読み取り（以下、ファインスキャンという）を行う際の読取条件及びファインスキャンにより得られる画像データに対する各種画像処理の処理条件を決定し、決定された読取条件でファインスキャンを行うと共に、ファインスキャンによって得られた画像データに対して上記決定された処理条件による画像処理を行うものがある。
【０００４】
このような画像読取装置を実現し得る技術として、特許文献１に記載の技術では、写真フィルム等に記録されたカラー画像を光電的に読み取って画像データを得て、該画像データに基づいて上記カラー画像をＣＲＴ等の表示手段上に表示し、オペレータが個々のカラー画像を観察して顧客の希望等に応じて複数のカラー画像を全体として、色調、階調、濃度等が統一されたカラー画像に再現するように画像処理条件を設定し、該設定内容に基づいてカラー画像を再生していた。
【特許文献１】特開平９−２９８６５７号公報
【発明の開示】
【発明が解決しようとする課題】
【０００５】
しかしながら、上記特許文献１記載の技術では、読取対象原稿に複数の画像が記録されており、該複数の画像を連続して読み取る技術については記載されているものの、複数の画像のうちの一部の画像を指定するための手段がなく、全ての画像を読取対象画像としていたため、特定の画像のみを読取対象としたい場合にも、全ての画像について読み取りを行うことになり、この結果として全体的な処理時間が長くなる、という問題点があった。
【０００６】
本発明は上記問題点を解消するために成されたものであり、全体的な処理時間を短縮することができる画像読取装置及び画像読取方法を提供することを目的とする。
【課題を解決するための手段】
【０００７】
上記目的を達成するために、請求項１記載の画像読取装置は、複数の画像が記録された読取対象原稿を照明する光源と、前記複数の画像の各々が順次所定の読取位置に位置するように前記読取対象原稿を搬送する搬送手段と、前記読取対象原稿に記録された各画像を複数画素に分解して読み取って画像データとして出力する画像センサと、前記複数の画像のうちの読み取り対象とする画像を指定するための指定手段と、前記指定手段によって指定された読み取り対象とする画像の読み取り開始位置又はその近傍が前記所定の読取位置に位置するまでは前記読み取り対象とする画像の濃度に応じた搬送速度より速い速度で前記読取対象原稿を搬送し、前記読み取り対象とする画像を読み取る際には前記読み取り対象とする画像の濃度に応じた搬送速度で前記読取対象原稿を搬送するように前記搬送手段を制御する制御手段と、を備えている。
【０００８】
請求項１に記載の画像読取装置によれば、複数の画像が記録された読取対象原稿が光源によって照明され、上記複数の画像の各々が順次所定の読取位置に位置するように読取対象原稿が搬送手段によって搬送され、読取対象原稿に記録された各画像が画像センサによって複数画素に分解されて読み取られて画像データとして出力される。なお、上記読取対象原稿としては、写真フィルム等の透過原稿、及び写真プリント等の反射原稿が含まれる。また、上記画像センサとしては、ラインＣＣＤ、エリアＣＣＤ、及びＣＣＤ以外の光電変換素子が含まれる。
【０００９】
また、請求項１に記載の画像読取装置では、読取対象原稿に記録された複数の画像のうちの読み取り対象とする画像が指定手段によって指定され、該指定された読み取り対象とする画像の読み取り開始位置又はその近傍が所定の読取位置に位置するまでは該読み取り対象とする画像の濃度に応じた搬送速度より速い速度で読取対象原稿が搬送され、読み取り対象とする画像を読み取る際には読み取り対象とする画像の濃度に応じた搬送速度で読取対象原稿が搬送されるように搬送手段が制御手段によって制御される。
【００１０】
なお、上記指定手段による読み取り対象とする画像の指定には、本発明の画像読取装置に各種情報等を入力するためのキーボード等の入力手段を備えている場合には該入力手段を介してオペレータによって読み取り対象とする画像を予め指定すること、本発明の画像読取装置にハードディスク等の記憶手段を備えている場合やメモリカード、フロッピィディスク等の記録媒体を読み取る読取手段を備えている場合には上記記憶手段や上記記録媒体に予め読み取り対象とする画像を示す情報を記録しておき、該情報を入力することによって指定すること、読取対象原稿が磁気層を備えた写真感光材料（所謂ＡＰＳフィルム）である場合には上記磁気層に予め読み取り対象とする画像を示す情報を記録しておき、該情報を入力することによって指定すること、読取対象原稿がバーコードを付することができるものである場合には該バーコードとして読み取り対象とする画像を示す情報を予め付しておき、該情報を入力することによって指定すること、等が含まれる。
【００１１】
このように、請求項１に記載の画像読取装置によれば、読み取り対象とする画像の読み取り開始位置又はその近傍が所定の読取位置に位置するまでは該読み取り対象とする画像の濃度に応じた搬送速度より速い速度で読取対象原稿を搬送しているので、全体的な処理時間を短縮することができる。
【００１２】
また、請求項２記載の画像読取装置は、請求項１記載の画像読取装置において、前記指定手段によって指定された読み取り対象とする画像が複数であり、かつこれらの画像を連続して読み取るとき、前記制御手段は、隣接する読み取り対象とする画像における後に読み取る画像の読み取り開始までに前記後に読み取る画像の読取条件が設定できない場合には、前記読取条件が設定可能な位置まで前記読取対象原稿の位置を戻すように前記搬送手段を制御することを特徴としている。
【００１３】
請求項２に記載の画像読取装置によれば、請求項１記載の画像読取装置における指定手段によって指定された読み取り対象とする画像が複数であり、かつこれらの画像を連続して読み取るとき、隣接する読み取り対象とする画像における後に読み取る画像の読み取り開始までに該後に読み取る画像の読取条件が設定できない場合には、制御手段によって、読取条件が設定可能な位置まで読取対象原稿の位置が戻されるように搬送手段が制御される。
【００１４】
このように、請求項２に記載の画像読取装置によれば、請求項１記載の発明と同様の効果を奏することができると共に、隣接する読取対象とする画像における後に読み取る画像の読み取り開始までに該後に読み取る画像の読取条件が設定できない場合には、読取条件が設定可能な位置まで読取対象原稿の位置を戻しているので、読み取り対象とする画像毎に確実に読取条件の設定を行うことができる。
【００１５】
また、請求項３記載の画像読取装置は、請求項２記載の画像読取装置において、前記読取条件が前記搬送手段による前記読取対象原稿の搬送速度であることを特徴としている。
【００１６】
搬送手段による読取対象原稿の搬送速度を所定の速度にする際には、それまでの搬送速度から上記所定の速度に到達するまでの期間が存在する。従って、この期間を後に読み取る画像の読み取り開始までに設けることができないことが、請求項２記載の発明における読取条件が設定できない、ということに相当する。
【００１７】
このように、請求項３に記載の画像読取装置によれば、請求項２記載の発明における読取条件を搬送手段による読取対象原稿の搬送速度としているので、読取対象原稿の搬送速度を確実に所望の読取速度に応じた速度とすることができ、高精度な読み取りを行うことができる。
【００１８】
更に、請求項４記載の画像読取装置は、請求項１記載の画像読取装置において、前記制御手段は、前記読み取り対象とする画像の読み取り開始位置に基づいて、該読み取り対象とする画像の読み取り開始位置又はその近傍が前記所定の読取位置に位置するまで前記読み取り対象とする画像の濃度に応じた搬送速度より速い速度で前記読取対象原稿を搬送した方がよいか否かを判定し、該判定の結果、前記濃度に応じた搬送速度より速い速度で搬送した方がよいと判定された場合にのみ、前記読み取り対象とする画像の読み取り開始位置又はその近傍が前記所定の読取位置に位置するまで前記読み取り対象とする画像の濃度に応じた搬送速度より速い速度で前記読取対象原稿を搬送するように前記搬送手段を制御することを特徴としている。
【００１９】
請求項４に記載の画像読取装置によれば、請求項１記載の画像読取装置における制御手段によって、読み取り対象とする画像の読み取り開始位置に基づいて、該読み取り対象とする画像の読み取り開始位置又はその近傍が上記所定の読取位置に位置するまで上記読み取り対象とする画像の濃度に応じた搬送速度より速い速度で読取対象原稿を搬送した方がよいか否かが判定され、該判定の結果、濃度に応じた搬送速度より速い速度で搬送した方がよいと判定された場合にのみ、読み取り対象とする画像の読み取り開始位置又はその近傍が上記所定の読取位置に位置するまで読み取り対象とする画像の濃度に応じた搬送速度より速い速度で読取対象原稿を搬送するように搬送手段が制御される。
【００２０】
なお、上記読み取り対象とする画像の濃度に応じた搬送速度より速い速度で読取対象原稿を搬送した方がよいか否かの判定において、よいと判定される条件としては、次の読み取り対象とする画像の読み取り開始位置が現在の読取位置から当該読み取り対象とする画像の読み取りのための各種設定を行うために十分な時間が確保できる程度に離れている場合や、複数又は１つの同一画像を異なる読み取り条件で同一読み取り開始位置から複数回繰り返して読み取る場合や、読取対象原稿が磁気層を備えた写真感光材料（所謂ＡＰＳフィルム）である際に次の読み取り対象とする画像の読み取り開始位置が各種情報の磁気層への記録又は磁気層からの読み取りを行うに必要な安定した搬送速度が確保できる位置である場合、の各場合が含まれる。
【００２１】
このように、請求項４に記載の画像読取装置によれば、読み取り対象とする画像の読み取り開始位置に基づいて、該読み取り対象とする画像の読み取り開始位置又はその近傍が所定の読取位置に位置するまで読み取り対象とする画像の濃度に応じた搬送速度より速い速度で読取対象原稿を搬送した方がよいか否かを判定し、該判定の結果、濃度に応じた搬送速度より速い速度で搬送した方がよいと判定された場合にのみ、読み取り対象とする画像の読み取り開始位置又はその近傍が上記所定の読取位置に位置するまで読み取り対象とする画像の濃度に応じた搬送速度より速い速度で読取対象原稿を搬送しているので、より確実に全体的な処理時間を短縮することができる。
【００２２】
なお、本発明は、請求項５記載の画像読取装置のように、複数の画像が記録された読取対象原稿を照明する光源と、前記複数の画像の各々が順次所定の読取位置に位置するように前記読取対象原稿を搬送する搬送手段と、前記読取対象原稿に記録された各画像を複数画素に分解して読み取って画像データとして出力する画像センサと、前記複数の画像のうちの読み取り対象とする画像を指定するための指定手段と、前記指定手段によって指定された読み取り対象とする画像に適した読取条件の設定が可能な設定可能位置が前記所定の読取位置に到達するまでは、前記読み取り対象とする画像の濃度に応じた搬送速度より速い速度で前記読取対象原稿を搬送し、前記設定可能位置が前記所定の読取位置に到達した後には前記読み取り対象とする画像の濃度に応じた搬送速度で前記読取対象原稿を搬送するように前記搬送手段を制御する制御手段と、を備えたものとしてもよい。
【００２３】
また、本発明は、請求項６に記載の発明のように、前記設定可能位置は、前記読み取り対象とする画像の種別に適した前記読取条件の設定を、前記読み取り対象とする画像の読み取りに先立って終了することができる前記読取対象原稿上の位置であるものとしてもよい。
【００２４】
また、請求項７記載の画像読取方法は、複数の画像が記録された読取対象原稿を照明し、かつ前記複数の画像の各々が順次所定の読取位置に位置するように前記読取対象原稿を搬送すると共に、画像センサによって前記読取対象原稿に記録された各画像を複数画素に分解して読み取って画像データとして出力する画像読取方法であって、前記読取対象原稿のうちの指定された読み取り対象とする画像の読み取り開始位置又はその近傍が前記所定の読取位置に位置するまでは前記読み取り対象とする画像の濃度に応じた搬送速度より速い速度で前記読取対象原稿を搬送し、前記読み取り対象とする画像を読み取る際には前記読み取り対象とする画像の濃度に応じた搬送速度で前記読取対象原稿を搬送するように制御することを特徴としたものである。
【００２５】
従って、請求項７に記載の画像読取方法によれば、上記請求項１記載の画像読取装置と同様に、読み取り対象とする画像の読み取り開始位置又はその近傍が所定の読取位置に位置するまでは該読み取り対象とする画像の濃度に応じた搬送速度より速い速度で読取対象原稿を搬送しているので、全体的な処理時間を短縮することができる。
【発明の効果】
【００２６】
請求項１記載の画像読取装置及び請求項７記載の画像読取方法によれば、読み取り対象とする画像の読み取り開始位置又はその近傍が所定の読取位置に位置するまでは該読み取り対象とする画像の濃度に応じた搬送速度より速い速度で読取対象原稿を搬送しているので、全体的な処理時間を短縮することができる、という効果が得られる。
【００２７】
また、請求項２記載の画像読取装置によれば、請求項１記載の発明と同様の効果を奏することができると共に、隣接する読取対象とする画像における後に読み取る画像の読み取り開始までに該後に読み取る画像の読取条件が設定できない場合には、読取条件が設定可能な位置まで読取対象原稿の位置を戻しているので、読み取り対象とする画像毎に確実に読取条件の設定を行うことができる、という効果が得られる。
【００２８】
また、請求項３記載の画像読取装置によれば、請求項２記載の発明における読取条件を搬送手段による読取対象原稿の搬送速度としているので、読取対象原稿の搬送速度を確実に所望の読取速度に応じた速度とすることができ、高精度な読み取りを行うことができる、という効果が得られる。
【００２９】
さらに、請求項４記載の画像読取装置によれば、読み取り対象とする画像の読み取り開始位置に基づいて、該読み取り対象とする画像の読み取り開始位置又はその近傍が所定の読取位置に位置するまで読み取り対象とする画像の濃度に応じた搬送速度より速い速度で読取対象原稿を搬送した方がよいか否かを判定し、該判定の結果、濃度に応じた搬送速度より速い速度で搬送した方がよいと判定された場合にのみ、読み取り対象とする画像の読み取り開始位置又はその近傍が上記所定の読取位置に位置するまで読み取り対象とする画像の濃度に応じた搬送速度より速い速度で読取対象原稿を搬送しているので、より確実に全体的な処理時間を短縮することができる、という効果が得られる。
【発明を実施するための最良の形態】
【００３０】
以下、図面を参照して、本発明の実施の形態について詳細に説明する。
【００３１】
〔第１実施形態〕
図１に示すように、本実施の形態に係る画像読取装置はラインＣＣＤスキャナ１４を備えており、ラインＣＣＤスキャナ１４は、画像処理部１６、マウス２０、２種類のキーボード１２Ａ、１２Ｂ、及びディスプレイ１８が設けられた作業テーブル２７に備えられている。
【００３２】
一方のキーボード１２Ａは作業テーブル２７の作業面２７Ｕ内に埋設されている。他方のキーボード１２Ｂは、不使用時は、作業テーブル２７の引出し２４内に収納され、使用時は、引出し２４から取り出し、一方のキーボード１２Ａ上に重ねる。このとき、キーボード１２Ｂのコードを、画像処理部１６に接続されたジャック１１０に接続する。
【００３３】
マウス２０のコードは作業テーブル２７に設けられた孔１０８を介して画像処理部１６に接続されている。マウス２０は、不使用時はマウスホルダ２０Ａに収納され、使用時はマウスホルダ２０Ａから取り出し、作業面２７Ｕ上に載置する。
【００３４】
画像処理部１６は、作業テーブル２７に設けられた収納部１６Ａに収納され、開閉扉２５によって密閉されている。なお、開閉扉２５を開放することにより、画像処理部１６を取り出すことができるようになっている。
【００３５】
ラインＣＣＤスキャナ１４は、ネガフィルムやリバーサルフィルム（ポジフィルム）等の写真フィルムに記録されているフィルム画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのフィルム画像を読取対象とすることができる。ラインＣＣＤスキャナ１４は、上記の読取対象のフィルム画像をラインＣＣＤで読み取り、画像データを出力する。
【００３６】
画像処理部１６は、ラインＣＣＤスキャナ１４から出力された画像データが入力されると共に、入力された画像データに対して各種の補正等の画像処理を行って、記録用画像データとして、図示しないレーザプリンタ部へ出力する。
【００３７】
図２及び図３に示すように、ラインＣＣＤスキャナ１４の光学系は、作業テーブル２７の下方に配置された光源部３０、作業テーブル２７に支持された拡散ボックス４０、作業テーブル２７にセットされるフィルムキャリア３８、及び作業テーブル２７を挟んで光源部３０の反対側に配置された読取部４３を備えている。
【００３８】
光源部３０は金属製のケーシング３１内に収容されており、ケーシング３１内部には、ハロゲンランプやメタルハライドランプ等から成るランプ３２が配置されている。なお、ランプ３２は、写真フィルム２２の長手方向（搬送方向）及び写真フィルム２２の幅方向の２方向に移動可能とされた図示しないＸ−Ｙステージに保持されており、該Ｘ−Ｙステージの位置を移動することによってランプ３２の位置を微調整することが可能とされている。
【００３９】
ランプ３２の周囲にはリフレクタ３３が設けられており、ランプ３２から射出された光の一部はリフレクタ３３によって反射され、一定の方向へ射出される。リフレクタ３３の側方には、複数のファン３４が設けられている。ファン３４はランプ３２が点灯している間作動され、ケーシング３１の内部が過熱状態となることを防止する。
【００４０】
リフレクタ３３の光射出側には、リフレクタ３３からの射出光の光軸Ｌに沿って、紫外域及び赤外域の波長の光をカットすることで写真フィルム２２の化学変化を防止すると共に温度上昇を防止して読取精度を向上させるＵＶ／ＩＲカットフィルタ３５、ランプ３２からの光及びリフレクタ３３からの射出光の光量を調整する絞り３９、及び、写真フィルム２２及び読取部４３に到達する光の色成分を、写真フィルムの種類（ネガフィルム／リバーサルフィルム）に応じて適切に設定するネガフィルム用のバランスフィルタ３６Ｎ及びリバーサルフィルム用のバランスフィルタ３６Ｐが嵌め込まれているターレット３６（図４（Ｂ）も参照）が順に設けられている。
【００４１】
絞り３９は光軸Ｌを挟んで配置された一対の板材から成り、一対の板材が接近離間するようにスライド移動可能とされている。図４（Ａ）に示すように、絞り３９の一対の板材は、スライド方向に沿った一端側から他端側に向けて、スライド方向に直交する方向に沿った断面積が連続的に変化するように、一端側に切り欠き３９Ａが各々形成されており、切り欠き３９Ａが形成されている側が対向するように配置されている。
【００４２】
上記構成では、所望の光成分の光となるように、写真フィルムの種類に応じたフィルタ（３６Ｎ、３６Ｐ）の何れかが光軸Ｌ上に位置し、絞り３９の位置によって絞り３９を通過する光の光量を所望の光量に調整する。
【００４３】
拡散ボックス４０は、上部になるに従って、即ち、写真フィルム２２に近づくに従って、フィルムキャリア３８によって搬送される写真フィルム２２の搬送方向の長さが狭くなり（図２参照）、該搬送方向に直交する方向（写真フィルム２２の幅方向）の長さが広がる（図３参照）形状とされている。また、拡散ボックス４０の光入射側及び光射出側には光拡散板（図示せず）が各々取付けられている。なお、上記の拡散ボックス４０は、１３５サイズの写真フィルム用であるが、他の写真フィルムに応じた形状の拡散ボックス（図示せず）も用意されている。
【００４４】
拡散ボックス４０に入射された光は、フィルムキャリア３８（すなわち写真フィルム２２）に向けて、写真フィルム２２の幅方向を長手方向とするスリット光とされ、また、光拡散板によって拡散光とされて射出される。このように、拡散ボックス４０から射出される光が拡散光とされることにより、写真フィルム２２に照射される光の光量むらが低減され、フィルム画像に均一な光量のスリット光が照射されると共に、フィルム画像に傷が付いていたとしても、この傷が目立ちにくくなる。
【００４５】
フィルムキャリア３８及び拡散ボックス４０は、写真フィルム２２の種類毎に用意されており、写真フィルム２２に応じて選択される。
【００４６】
フィルムキャリア３８の上面及び下面における光軸Ｌに対応する位置には、写真フィルム２２の幅方向に写真フィルム２２の幅より長い細長い開口（図示しない）が設けられている。拡散ボックス４０からのスリット光は、フィルムキャリア３８の下面に設けられた該開口を介して写真フィルム２２に照射され、写真フィルム２２の透過光が、フィルムキャリア３８の上面に設けられた該開口を介して、読取部４３に到達する。
【００４７】
ところで、フィルムキャリア３８は、拡散ボックス４０からのスリット光が照射される位置（読取位置）で湾曲するように、写真フィルム２２をガイドする図示しないガイドが設けられている。これにより、読取位置での写真フィルム２２の平面性が確保される。
【００４８】
また、拡散ボックス４０は、上面が上記読取位置に接近するように支持されている。よって、フィルムキャリア３８の装填時にフィルムキャリア３８と拡散ボックス４０が干渉しないように、フィルムキャリア３８の下面には、切り欠け部が設けられている。
【００４９】
なお、フィルムキャリアは、プレスキャン時や、ファインスキャン時におけるこれからファインスキャンするフィルム画像の濃度等に応じた複数の速度で写真フィルム２２を搬送可能なように構成されている。
【００５０】
読取部４３は、ケーシング４４内部に収容された状態で配置されている。ケーシング４４の内部には、上面にラインＣＣＤ１１６が取付けられた載置台４７が設けられており、載置台４７からはレンズ筒４９が垂下されている。レンズ筒４９の内部には、縮小・拡大等の変倍のために作業テーブル２７と接近離間する方向Ａにスライド移動可能にレンズユニット５０が支持されている。作業テーブル２７には支持フレーム４５が立設されている。載置台４７は、支持フレーム４５に取り付けられたガイドレール４２に、上記変倍やオートフォーカス時に共役長を確保するために作業テーブル２７と接近離間する方向Ｂにスライド移動可能に支持されている。
【００５１】
レンズユニット５０は複数枚のレンズから成り、複数枚のレンズの間にはレンズ絞り５１が設けられている。図４（Ｃ）に示すように、レンズ絞り５１は略Ｃ字状に成形された絞り板５１Ａを複数枚備えている。各絞り板５１Ａは光軸Ｌの周囲に均等に配置され一端部がピンに軸支されており、ピンを中心として回動可能とされている。複数枚の絞り板５１Ａは図示しないリンクを介して連結されており、レンズ絞り駆動モータ（後述）の駆動力が伝達されると同一の方向に回動する。この絞り板５１Ａの回動に伴って、光軸Ｌを中心として絞り板５１Ａにより遮光されていない部分（図４（Ｃ）における略星型の部分）の面積が変化し、レンズ絞り５１を通過する光の光量が変化する。
【００５２】
ラインＣＣＤ１１６は、ＣＣＤセル又はフォトダイオード等の光電変換素子が、写真フィルム２２の幅方向に一列に多数配置され、かつ電子シャッタ機構が設けられたセンシング部が、間隔を空けて互いに平行に３ライン設けられており、各センシング部の光入射側にＲ、Ｇ、Ｂの色分解フィルタの何れかが各々取付けられて構成されている（所謂３ラインカラーＣＣＤ）。また、各センシング部の近傍には、多数の転送部が各センシング部に対応して各々設けられており、各センシング部の各ＣＣＤセルに蓄積された電荷は、対応する転送部を介して順に転送される。
【００５３】
またラインＣＣＤ１１６の光入射側には、ＣＣＤシャッタ５２が設けられている。なお、図４（Ｄ）に示すように、このＣＣＤシャッタ５２にはＮＤフィルタ５２ＮＤが嵌め込まれている。ＣＣＤシャッタ５２は、矢印ｕ方向に回転して、暗補正やラインＣＣＤ１１６に設けられた色分解フィルタの保護のためにラインＣＣＤ１１６に入射される光を遮光する全閉状態（ＮＤフィルタ５２ＮＤが嵌め込まれていない部分５２Ｂ等が、光軸Ｌを含む位置５２Ｃに位置する）、通常の読み取りや明補正のためにラインＣＣＤ１１６に光を入射させる全開状態（図４（Ｄ）の位置）、リニアリティ補正のためにラインＣＣＤ１１６に入射される光をＮＤフィルタ５２ＮＤによって減光する減光状態（ＮＤフィルタ５２ＮＤが位置５２Ｃに位置する）の何れかの状態に切り替わる。
【００５４】
ラインＣＣＤ１１６に設けられたＲ、Ｇ、Ｂ各色の色分解フィルタは、光が照射されることによって徐々に退色する。ここで、図５に示すように、退色前のＲ、Ｇ、Ｂ各色の色分解フィルタの各々の分光透過率を１２０Ｒ、１２０Ｇ、１２０Ｂとした場合、例えば、Ｇ及びＢの色分解フィルタに対して集中的に光が照射され、Ｇ及びＢの色分解フィルタの退色が進んだ際には、Ｇ及びＢの色分解フィルタの各々の分光透過率は１２０Ｇ'及び１２０Ｂ'となり、各々退色前の分光透過率１２０Ｇ及び１２０Ｂに比較して全体的に上昇する。この場合、退色後の分光透過率１２０Ｇ'及び１２０Ｂ'の重なり部分（図５の斜線部分）の面積は、退色前に比較して広くなるため、Ｇの分解光とＢの分解光の分離が困難となり、この結果として最終的に得られる画像の品質が低下する。
【００５５】
そこで、本実施形態に係る画像読取装置では、画像読取時以外等のラインＣＣＤ１１６への光の入射が不要な場合は、ＣＣＤシャッタ５２を全閉位置として、ラインＣＣＤ１１６の色分解フィルタの退色を防止している。
【００５６】
図３に示すように、作業テーブル２７には、写真フィルム２２を冷却するための冷却風を生成するコンプレッサ９４が配置されている。コンプレッサ９４により生成された冷却風は、案内管９５によりフィルムキャリア３８の図示しない読取部に案内されて、供給される。これにより、写真フィルム２２の読取部に位置する領域を冷却することができる。なお、案内管９５は、冷却風の流量を検出する流量センサ９６を貫通している。
【００５７】
なお、本実施形態に係るフィルムキャリア３８及び拡散ボックス４０は、上述したように、原則的には写真フィルム２２の種類に応じて選択して用いられるが、紛失、破損等の何らかの原因で読取対象とする写真フィルムの種類に応じた拡散ボックスを用いることができなく、かつそれ以外の使用可能な拡散ボックスがある場合、本実施形態の画像読取装置では次のように対処している。
【００５８】
すなわち、本実施形態の画像読取装置では、写真フィルムの種類に応じて予め用意された拡散ボックス毎に各拡散ボックスからの射出光の光量に関する情報を予め記憶しておき、読取対象とする写真フィルム用の拡散ボックスと、実際に使用する拡散ボックスとの光量差を求めて、該光量差に応じてラインＣＣＤ１１６の電荷蓄積時間を変更することにより、読取対象とする写真フィルム用以外の拡散ボックスを使用可能としている。
【００５９】
具体的には、例えば、１３５サイズの写真フィルムを１２０サイズの写真フィルム用の拡散ボックスを用いて読み取る場合、１２０サイズの写真フィルム用の拡散ボックスと、１３５サイズの写真フィルム用の拡散ボックスとの各々の射出光の光量差を求める。１２０サイズの写真フィルム用の拡散ボックスの射出光の光量は１３５サイズの写真フィルム用の拡散ボックスに比較して少ないので、この場合は、上記光量差に応じてラインＣＣＤ１１６の電荷蓄積時間を通常より長くすることで、この光量の減少分を補うようにする。
【００６０】
このように、本実施形態の画像読取装置では、１つの拡散ボックスを複数種類の写真フィルムの読み取りに使用可能としている。
【００６１】
次に、図６に示したラインＣＣＤスキャナ１４の光学系の主要部を参照しながら、ラインＣＣＤスキャナ１４及び画像処理部１６の電気系の概略構成を、図７を用いて説明する。
【００６２】
ラインＣＣＤスキャナ１４は、ラインＣＣＤスキャナ１４全体の制御を司るマイクロプロセッサ４６を備えている。マイクロプロセッサ４６には、バス６６を介してＲＡＭ６８（例えばＳＲＡＭ）、ＲＯＭ７０（例えば記憶内容を書換え可能なＲＯＭ）が接続されていると共に、ランプドライバ５３、コンプレッサ９４、流量センサ９６、及びモータドライバ４８が接続されている。ランプドライバ５３は、マイクロプロセッサ４６からの指示に応じてランプ３２を点消灯させる。また、写真フィルム２２のフィルム画像の読み取りの際、写真フィルム２２に冷却風を供給するために、マイクロプロセッサ４６は、コンプレッサ９４を稼働させる。なお、流量センサ９６により冷却風の流量が検出され、マイクロプロセッサ４６は、異常を検知する。
【００６３】
また、モータドライバ４８には、ターレット３６のネガフィルム用のバランスフィルタ３６Ｎ及びリバーサルフィルム用のバランスフィルタ３６Ｐの何れかが光軸Ｌに位置するようにターレット３６を図４（Ｂ）矢印ｔ方向に回転駆動するターレット駆動モータ５４、ターレット３６の基準位置（図示しない切り欠け）を検出するターレット位置センサ５５（図４（Ｂ）も参照）が接続されている。モータドライバ４８には、更に、絞り３９をスライド移動させる絞り駆動モータ５６、絞り３９の位置を検出する絞り位置センサ５７、載置台４７（即ち、ラインＣＣＤ１１６及びレンズユニット５０）をガイドレール４２に沿ってスライド移動させる読取部駆動モータ５８、載置台４７の位置を検出する読取部位置センサ５９、レンズユニット５０をレンズ筒４９に沿ってスライド移動させるレンズ駆動モータ６０、レンズユニット５０の位置を検出するレンズ位置センサ６１、レンズ絞り５１の絞り板５１Ａを回動させるレンズ絞り駆動モータ６２、レンズ絞り５１の位置（絞り板５１Ａの位置）を検出するレンズ絞り位置センサ６３、ＣＣＤシャッタ５２を全閉状態、全開状態及び減光状態の何れかの状態に切り換えるシャッタ駆動モータ６４、シャッタ位置を検出するシャッタ位置センサ６５、ファン３４を駆動するファン駆動モータ３７が接続されている。
【００６４】
マイクロプロセッサ４６は、ラインＣＣＤ１１６によるプレスキャン（予備読み取り）及びファインスキャン（本読み取り）を行う際に、ターレット位置センサ５５及び絞り位置センサ５７によって検出されるターレット３６及び絞り３９の位置に基づき、ターレット駆動モータ５４によってターレット３６を回転駆動させると共に、絞り駆動モータ５６によって絞り３９をスライド移動させ、フィルム画像に照射される光を調節する。
【００６５】
またマイクロプロセッサ４６は、フィルム画像のサイズやトリミングを行うか否か等に応じてズーム倍率を決定し、フィルム画像が前記決定したズーム倍率でラインＣＣＤ１１６によって読み取られるように、読取部位置センサ５９によって検出される載置台４７の位置に基づき読取部駆動モータ５８によって載置台４７をスライド移動させると共に、レンズ位置センサ６１によって検出されるレンズユニット５０の位置に基づきレンズ駆動モータ６０によってレンズユニット５０をスライド移動させる。
【００６６】
なお、ラインＣＣＤ１１６の受光面をレンズユニット５０によるフィルム画像の結像位置に一致させる合焦制御（オートフォーカス制御）を行う場合、マイクロプロセッサ４６は、読取部駆動モータ５８により載置台４７のみをスライド移動させる。この合焦制御は、一例としてラインＣＣＤ１１６によって読み取られたフィルム画像のコントラストが最大となるように行う（所謂画像コントラスト法）ことができるが、これに代えて写真フィルム２２とレンズユニット５０（又はラインＣＣＤ１１６）との距離を赤外線等により測定する距離センサを設け、フィルム画像のデータに代えて距離センサによって検出された距離に基づいて行うようにしてもよい。
【００６７】
一方、ラインＣＣＤ１１６にはタイミングジェネレータ７４が接続されている。タイミングジェネレータ７４は、ラインＣＣＤ１１６や後述するＡ／Ｄ変換器８２等を動作させるための各種のタイミング信号（クロック信号）を発生する。ラインＣＣＤ１１６の信号出力端は、増幅器７６を介してＡ／Ｄ変換器８２に接続されており、ラインＣＣＤ１１６から出力された信号は、増幅器７６で増幅されＡ／Ｄ変換器８２でディジタルデータに変換される。
【００６８】
Ａ／Ｄ変換器８２の出力端は、相関二重サンプリング回路（ＣＤＳ）８８、インタフェース（Ｉ／Ｆ）回路９０を順に介して画像処理部１６に接続されている。ＣＤＳ８８では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路９０を介してスキャン画像データとして画像処理部１６へ順次出力する。
【００６９】
なお、ラインＣＣＤ１１６からはＲ、Ｇ、Ｂの測光信号が並列に出力されるので、増幅器７６、Ａ／Ｄ変換器８２、ＣＤＳ８８から成る信号処理系も３系統設けられており、Ｉ／Ｆ回路９０からは、スキャン画像データとしてＲ、Ｇ、Ｂの画像データが並列に、画像処理部１６に入力される。
【００７０】
更に、画像処理部１６には、ディスプレイ１８、キーボード１２Ａ、１２Ｂ、マウス２０、及びフィルムキャリア３８が接続されている。
【００７１】
画像処理部１６では、ラインＣＣＤスキャナ１４から並列に入力されるＲ、Ｇ、Ｂの画像データに対して、暗補正及び明補正を行う。
【００７２】
暗補正は、ラインＣＣＤ１１６の光入射側に光を入射しない状態においてラインＣＣＤ１１６内を流れる電流である暗電流をキャンセルするものであり、ラインＣＣＤ１１６の光入射側がＣＣＤシャッタ５２により遮光されている状態でラインＣＣＤスキャナ１４から入力されたデータ（ラインＣＣＤ１１６のセンシング部の各セルの暗出力レベルを表すデータ）を各セル毎に記憶しておき、ラインＣＣＤ１１６が写真フィルム２２を読み取ることによってラインＣＣＤスキャナ１４から入力された画像データから、各画素毎に対応するセルの暗出力レベルを減ずることによって補正する。
【００７３】
また、明補正は、ラインＣＣＤ１１６の光電変換特性の各セル単位でのばらつきを補正するものであり、ラインＣＣＤスキャナ１４に画面全体が一定濃度の調整用のフィルム画像がセットされている状態で、ラインＣＣＤ１１６で前記調整用のフィルム画像を読み取ることによりラインＣＣＤスキャナ１４から入力された調整用のフィルム画像の画像データ（この画像データが表す各画素毎の濃度のばらつきは各セルの光電変換特性のばらつきに起因する）に基づいて各セル毎にゲイン（明補正データ）を定めておき、ラインＣＣＤスキャナ１４から入力された読取対象のフィルム画像の画像データを、各セル毎に定めたゲインに応じて各画素毎に補正する。
【００７４】
また、画像処理部１６では、階調変換、色変換、画像の超低周波輝度成分の階調を圧縮するハイパートーン処理、粒状を抑制しながらシャープネスを強調するハイパーシャープネス処理等の各種の画像処理を行う。
【００７５】
なお、キーボード１２Ａ、１２Ｂ及びマウス２０が本発明の指定手段に、写真フィルム２２が本発明の読取対象原稿に、ランプ３２が本発明の光源に、フィルムキャリア３８が本発明の搬送手段に、マイクロプロセッサ４６が本発明の制御手段に、ラインＣＣＤ１１６が本発明の画像センサに、各々相当する。
【００７６】
次に、本実施形態の作用として、ラインＣＣＤスキャナ１４のマイクロプロセッサ４６によって実行される写真フィルム２２の画像読取時の処理について、図８を参照して説明する。なお、図８は、写真フィルム２２の画像読取時にマイクロプロセッサ４６で実行される画像読取処理のフローチャートである。また、ラインＣＣＤスキャナ１４は、写真フィルム読取時のモードとして、「プレスキャンモード」、及び「ファインスキャンモード」の各モードが予め定められていると共に、各モードにおけるラインＣＣＤスキャナ１４の各部の状態も予め定められている。さらに、本実施形態では、写真フィルム２２が１本のネガフィルムである場合について説明する。
【００７７】
図８のステップ２００では、「プレスキャンモード」に移行し、写真フィルム２２に対するプレスキャンが所定の読取条件で行われるように、「プレスキャンモード」として予め定められている各部の状態に従って各部の作動を制御する。
【００７８】
すなわち、ランプドライバ５３によってランプ３２を点灯させ、絞り駆動モータ５６によって絞り３９をプレスキャン時の位置に移動させ、ターレット駆動モータ５４によってターレット３６をネガフィルム位置（ネガフィルム用のバランスフィルタ３６Ｎが光軸Ｌ上に位置する位置）へ回転させ、レンズユニット５０によるズーム倍率が１．０倍となるように読取部駆動モータ５８、レンズ駆動モータ６０によって載置台４７及びレンズユニット５０をスライド移動させ、レンズ絞り駆動モータ６２によってレンズ絞り５１を全開位置に移動させ、シャッタ駆動モータ６４によってＣＣＤシャッタ５２を全開位置に移動させる。また、タイミングジェネレータ７４に対し、ラインＣＣＤ１１６の電子シャッタの作動時間（ラインＣＣＤ１１６によるライン単位の読取周期（電荷蓄積時間))として最短値であるｔを設定し、フィルムキャリア３８に対し、写真フィルム２２の搬送速度として最速値である５×ｖ（通常のフィルム画像のファインスキャン時における搬送速度をｖとした場合の５倍の搬送速度）を設定する。従って、写真フィルム２２に対するプレスキャンは比較的粗い解像度で高速に行われ、短時間で処理が完了する。
【００７９】
次のステップ２０２では、フィルムキャリア３８に対し、所定方向（図２の矢印Ｃ方向）への写真フィルム２２の搬送を指示し、最速の搬送速度（５×ｖ）で搬送される写真フィルム２２をラインＣＣＤ１１６によって最短の読取周期（ｔ）で読み取り、ラインＣＣＤ１１６から出力された信号に対して順次Ａ／Ｄ変換を行ってプレスキャンデータとして画像処理部１６へ順次出力するプレスキャンを開始する。
【００８０】
次のステップ２０４では写真フィルム２２の後端までプレスキャンを行ったか否か判定し、判定が肯定される迄待機する。
【００８１】
このプレスキャンの間、画像処理部１６では、ラインＣＣＤスキャナ１４から入力される画像データを図示しない記憶部に順次記憶すると共に、複数コマ画像分の画像データが記憶された時点で、該記憶された画像データに基づき、写真フィルム２２に記録されているフィルム画像の写真フィルム２２の搬送方向に沿った両端（上流側及び下流側）のエッジ位置を各々判定する。
【００８２】
エッジ位置の判定は、例えば、本願出願人が特開平８−３０４９３２号公報、特開平８−３０４９３３号公報、特開平８−３０４９３４号公報、特開平８−３０４９３５号公報で提案しているように、プレスキャンデータが表す各画素毎の濃度値に基づき、各画素毎にフィルム長手方向に沿った濃度変化値を各々演算し、各画素のフィルム長手方向に沿った濃度変化値をフィルム幅方向に沿ったライン単位で積算し、各ライン毎の積算値を比較することで行うことができる。また、写真フィルム２２がＡＰＳフィルムであれば、パーフォレーションが穿設されている位置からエッジが存在している可能性がある領域を探索範囲として設定し、該探索範囲内でエッジを探索することで、エッジ位置の判定に要する時間を短縮することも可能である。
【００８３】
また、画像処理部１６では、このようにして判定したエッジ位置に基づき、パーフォレーションの位置等と対応付けてフィルム画像のコマ位置を判定し、判定したコマ位置を上記図示しない記憶部に記憶すると共に、該コマ位置に基づいて、それまでに記憶した画像データからフィルム画像が記録されている領域の画像データを切り出して上記図示しない記憶部に記憶する。
【００８４】
写真フィルム２２の後端までプレスキャンが終了すると（図８のステップ２０４の判定が肯定されると）、ステップ２０６では、プレスキャン時に画像処理部１６によって上記図示しない記憶部に記憶されたプレスキャン画像データからフィルム画像の所定の画像特徴量を演算する。なお、所定の画像特徴量には、フィルム画像の色バランス値（詳しくは、フィルム画像の各成分色毎の最小濃度値（最大輝度値）の比率）も含まれる。
【００８５】
また、ステップ２０６では、演算した画像特徴量に基づいて、フィルム画像の種別（サイズ、濃度種別）及びファインスキャン画像データに対する画像処理の処理条件を演算により設定する。
【００８６】
なお、読取対象の写真フィルム２２が１３５サイズの写真フィルムであれば、フィルム画像のサイズ（この場合はフィルム画像のフレームサイズ）は、例えば標準サイズのフィルム画像では画像記録範囲内となり、パノラマサイズ等の非標準サイズのフィルム画像では画像記録範囲外となる所定部分の濃度や色味が、未露光部（ネガフィルムであれば素抜け）に相当する濃度や色味であるか否かに基づいて判定することができる。
【００８７】
また、特開平８−３０４９３２号公報、特開平８−３０４９３３号公報、特開平８−３０４９３４号公報、特開平８−３０４９３５号公報のように、プレスキャン時の画像データが表す各画素毎の濃度値に基づき、各画素毎にフィルム幅方向に沿った濃度変化値を各々演算し、各画素のフィルム幅方向に沿った濃度変化値をフィルム長手方向に沿ったライン単位で積算し、各ライン毎の積算値を比較することでフィルム画像のサイズ（アスペクト比）を判定したり、濃度ヒストグラムから閾値を定めて画像を二値化し、画像中の各領域における画像の存在率に基づいて判定したり、前述の所定部分における濃度変化値の分散及び平均値に基づいて判定したり、上記の手法を組み合わせて判定するようにしてもよい。
【００８８】
また、読取対象の写真フィルム２２がＡＰＳフィルムであれば、フィルム画像のサイズ（この場合はプリントサイズ）は、ＡＰＳフィルムの磁気層にデータとして磁気記録されているプリントサイズを読み取ることで判定できる。
【００８９】
フィルム画像の濃度種別については、例えば平均濃度、最大濃度、最小濃度等を予め定められた所定値と比較することで、低濃度／通常濃度／高濃度／超高濃度等に分類することができる。また、画像処理の処理条件としては、例えば画像の拡大縮小率、ハイパートーンやハイパーシャープネス等の画像処理の処理条件（具体的には、画像の超低周波輝度成分に対する階調の圧縮度、画像の高周波成分や中周波成分に対するゲイン（強調度))、階調変換条件等が演算される。
【００９０】
上記のようにして全てのコマ画像について、種別、及び画像処理の処理条件の設定が終了すると、次のステップ２０８では画像検定処理を実行する。この画像検定処理について、図９のフローチャートを参照して説明する。
【００９１】
まず、ステップ３００では、画像処理部１６から、所定数のフィルム画像のプレスキャン画像データ及び画像処理の処理条件を取り込む。
【００９２】
次のステップ３０２では、先に取り込んだ所定数のフィルム画像のプレスキャン画像データ及び画像処理の処理条件から、何れか１つのフィルム画像のプレスキャン画像データ及び画像処理の処理条件を取り出し、取り出したプレスキャン画像データに対し、取り出した処理条件に従って所定の画像処理（画像の拡大縮小、階調変換、ハイパートーン処理、ハイパーシャープネス処理等）を行う。この所定の画像処理は、ファインスキャン画像データに対して画像処理部１６で行われる画像処理と等価な画像処理であるが、プレスキャンはファインスキャンよりも低解像度でフィルム画像を読み取るものであり、プレスキャン画像データはファインスキャン画像データよりもデータ量が少ないので、ステップ３０２における画像処理は比較的短時間で完了する。
【００９３】
次のステップ３０４では、画像処理を行った画像データに対し、該画像データをディスプレイ１８に表示した場合の状態（見え具合）が図示しないレーザプリンタ部によるプリント結果と略同様となるようにディスプレイ１８の特性に応じて画像データを補正し、補正後のデータ（シミュレーション画像データ）をＲＡＭ６８に一旦記憶する。
【００９４】
次のステップ３０６では、所定数のフィルム画像に対して上記の処理を行ったか否か判定する。判定が否定された場合にはステップ３０２に戻り、ステップ３００でプレスキャン画像データ及び処理条件を取り込んだ所定数の画像のうち、画像処理を未実行のフィルム画像に対してステップ３０２、３０４の処理を繰り返す。
【００９５】
ステップ３０６の判定が肯定されるとステップ３０８へ移行し、所定数のフィルム画像のシミュレーション画像データに基づいて、例として図１０に示すように、前記所定数のフィルム画像の画像データに対し、画像処理部１６で設定された処理条件で各々画像処理を行った結果を表す所定数（図１０では６）のシミュレーション画像１２０をディスプレイ１８に表示する。
【００９６】
次のステップ３１０では、ディスプレイ１８に表示されているシミュレーション画像１２０のうちの処理対象画像のオペレータによる指定が終了しているか否かを判定し、終了している場合はステップ３１８へ移行し、終了していない場合はステップ３１２へ移行する。なお、本実施形態における処理対象画像とは、実際にファインスキャンを行うフィルム画像を示している。すなわち、本実施形態では、本画像読取処理が同時プリント時に実行されている場合は、焦点が大きくずれた、所謂ピンボケのフィルム画像や、超アンダー露光又は超オーバー露光等により画像の内容が識別できない程度のフィルム画像等の、プリントしても意味がない画像以外の画像が処理対象画像となり、本画像読取処理が焼き増し時に実行されている場合は、焼き増しする画像が処理対象画像となる。
【００９７】
ステップ３１２では、オペレータに処理対象画像の指定を要請するメッセージをディスプレイ１８に表示する等により、オペレータに処理対象画像の指定を要請する。
【００９８】
これにより、オペレータはディスプレイ１８に表示されているシミュレーション画像１２０（図１０も参照）のうちの、処理対象とする画像の指定をキーボード１２Ａ、１２Ｂ、及びマウス２０の何れかを用いて行う。すなわち、キーボード１２Ａ又はキーボード１２Ｂを用いる場合は、例えば、ディスプレイ１８に表示されたシミュレーション画像１２０のうちの任意の１つに対して枠で囲むように該枠を予め表示しておき、当該キーボードに設けられた図示しない矢印キーの何れかを押下することによって、上記枠の位置を押下された矢印キーの指し示す方向に位置するシミュレーション画像を囲むように移動し、処理対象とするシミュレーション画像が上記枠で囲まれた時点で当該キーボードのエンターキー等の所定のキーを押下することにより処理対象画像の指定を行うことができる。一方、マウス２０を用いる場合は、ディスプレイ１８上に表示されているシミュレーション画像１２０のうちの処理対象とする画像をマウス２０によってポインティング指定することによって行うことができる。
【００９９】
なお、本画像読取処理が同時プリント時に実行されている場合は、上述したように、プリント対象とするフィルム画像が処理対象画像となるが、この場合、一般的にプリント対象とする画像の方がそれ以外の画像より多いので、省力化のためオペレータは処理対象画像以外の画像を指定し、指定された画像以外の画像が処理対象画像であるものとマイクロプロセッサ４６によって判断する形態とすることが好ましい。この形態は、本画像読取処理が焼き増し時に実行されている場合であっても、焼き増しする画像の数が焼き増ししない画像の数より少ない場合にも省力化の点で有効である。また、本画像読取処理が焼き増し時に実行されている場合は、オペレータは処理対象画像の各々の焼き増し枚数をこの時点で入力する。
【０１００】
更にオペレータは、全ての処理対象とする画像の指定が終了した時点で、該指定が終了した旨を入力する。この入力は、処理対象画像の指定をキーボードを用いて行っている場合は、例えば当該キーボードのスペースキー等の所定のキー（少なくとも上記矢印キー以外のキー）を押下することにより行うことができ、処理対象画像の指定をマウス２０を用いて行っている場合は、例えばディスプレイ１８上のシミュレーション画像１２０の領域以外の所定領域をマウス２０によりポインティング指定することによって行うことができる。
【０１０１】
従って、次のステップ３１４では、上述したオペレータからの処理対象とする画像の指定が終了した旨の入力待ちを行うことによって、処理対象画像の指定の終了待ちを行った後、ステップ３１６へ移行して、オペレータから指定された全ての処理対象画像の位置（本実施形態では処理対象画像のコマ番号）をＲＡＭ６８の所定領域に記憶する。また、本画像読取処理が焼き増し時に実行されている場合は、オペレータから入力された処理対象画像毎の焼き増し枚数を各処理対象画像に対応付けて記憶する。
【０１０２】
次のステップ３１８では、上記ステップ３１２〜ステップ３１６によってオペレータから指定されて記憶された処理対象とするフィルム画像の位置に対応するシミュレーション画像を強調表示する。
【０１０３】
この強調表示の方法としては、例えば、図１１（Ａ）に示すように、指定されたシミュレーション画像の明るさを指定されなかったシミュレーション画像の明るさに比較して相対的に明るく表示する方法（図１１（Ａ）では指定されなかったシミュレーション画像を暗く（斜線で表現）表示している）、図１１（Ｂ）に示すように、指定されたシミュレーション画像のみ周囲を枠で囲む方法、図１１（Ｃ）に示すように、指定されたシミュレーション画像のみ、当該シミュレーション画像の写真フィルム上のコマ番号を表示する方法、図１１（Ｄ）に示すように、指定されたシミュレーション画像のみを表示する方法、等を適用することができる。このような強調表示を行うことによって、処理対象画像を明確化することができる。
【０１０４】
次のステップ３２０では、オペレータにシミュレーション画像の検定を要請するメッセージをディスプレイ１８に表示する等により、オペレータにシミュレーション画像の検定を要請する。
【０１０５】
これにより、オペレータはディスプレイ１８に表示されているシミュレーション画像のうち、ステップ３１８により強調表示された画像を目視で確認し、各種の判定を行って判定結果を入力する検定作業を行う。すなわち、まず画像処理部１６で判定されたフィルム画像のコマ位置が適正か否かを判定する。コマ位置が適正であると判断した場合にシミュレーション画像の画質が適正か否か（すなわち画像処理部１６で演算された処理条件が適正か否か）を判定し、画質（処理条件）が適正でないと判定した場合には処理条件をどのように修正すべきかを判断する。
【０１０６】
そして、強調表示されている全てのシミュレーション画像のコマ位置及び画質を適正と判定した場合には、検定結果として「検定ＯＫ」を表す情報をキーボード１２Ａ等を介して入力し、特定のシミュレーション画像のコマ位置が適正でないと判定した場合には、検定結果として、前記特定のシミュレーション画像のコマ位置をどのように修正するかを指示する情報をキーボード１２Ａ等を介して入力し、特定のシミュレーション画像の画質が適正でないと判定した場合には、検定結果として、前記特定のシミュレーション画像に対応する特定のフィルム画像に対して処理条件の修正を指示する情報をキーボード１２Ａ等を介して入力する。
【０１０７】
例えば、ストロボを用いて撮影したフィルム画像や逆光のシーンを撮影したフィルム画像はコントラストが過剰に高く、シミュレーション画像上で主要被写体に対して背景のとび、又はつぶれが発生する。このような場合、オペレータは画像中の背景に相当する領域についてのみ階調が圧縮されるように、すなわちハイパートーン処理による画像の超低周波明るさ成分（画像から抽出した超低周波輝度成分の画像における高輝度の領域）の階調の圧縮度合いが高くなるように、処理条件の修正を指示する情報として画像の超低周波輝度成分のうち高輝度のデータに対する強調度の修正を指示する情報を入力する。
【０１０８】
また、例えばシミュレーション画像上でシャープネスが不足している場合、オペレータはシャープネスが強調されるように、処理条件の修正を指示する情報として画像の高周波成分等に対する強調度の修正を指示する情報を入力する。また、例えばアンダ露光やオーバ露光のフィルム画像は、シミュレーション画像の濃度が全体的に高濃度側又は低濃度側に偏倚したり、シミュレーション画像のコントラストが過剰に低くなる。このような場合、オペレータは、全体的な濃度やコントラストが適正となるように、処理条件の修正を指示する情報として階調変換条件の変換カーブの修正を指示する情報を入力する。
【０１０９】
次のステップ３２２では、キーボード１２Ａ等を介してオペレータから検定結果が入力されたか否か判定し、検定結果が入力される迄待機する。検定結果が入力されるとステップ３２４へ移行し、検定結果として入力された情報の内容を判定する。検定結果として、特定のシミュレーション画像に対応する特定のフィルム画像に対し、コマ位置の修正又は処理条件の修正を指示する情報が入力された場合にはステップ３２６へ移行し、入力された特定のフィルム画像に対するコマ位置又は処理条件の修正内容を画像処理部１６において得られているコマ位置又は処理条件に対して反映させる。
【０１１０】
すなわち、入力された修正指示が特定のフィルム画像のコマ位置を修正する指示であった場合には、特定のフィルム画像のコマ位置を前記修正指示に応じて修正した後に、先に説明したステップ２０６と同様に、修正したコマ位置に従ってプレスキャンデータからプレスキャン画像データを再度切り出し、切り出したプレスキャン画像データから所定の画像特徴量を演算し、前記特定のフィルム画像の種別及び画像処理の処理条件を演算により再度設定する。上記のようにコマ位置を修正することで、ファインスキャン時に写真フィルム２２上の画像部を確実に読み取ることができる。
【０１１１】
また、入力された修正指示が特定のフィルム画像の処理条件を修正する指示であった場合には、前記特定のフィルム画像の処理条件の修正のみを行う。例えば処理条件の修正指示が、特定の周波数成分に対する強調度を修正する指示であれば、画像処理の処理条件のうち、該当する周波数成分に対する強調度を修正し、処理条件の修正指示が、階調変換条件の変換カーブを修正する指示であれば、画像処理の処理条件のうち、階調変換条件が表す変換カーブを、修正指示に応じて全体的又は部分的に修正する。これにより、各フィルム画像に対して適切な処理条件を確実に設定することができる。
【０１１２】
上記のようにしてコマ位置又は処理条件の修正内容の反映が終了するとステップ３２８へ移行し、コマ位置又は処理条件の修正が行われた特定のフィルム画像のプレスキャン画像データ及び処理条件を画像処理部１６から取り込み、ステップ３０２に戻る。
【０１１３】
これにより、コマ位置又は処理条件の修正が行われた特定のフィルム画像について、ステップ３０２、３０４の処理が再度行われ、特定のフィルム画像のシミュレーション画像がディスプレイ１８に再表示されることになる。そして、再表示された特定のフィルム画像のシミュレーション画像をオペレータが目視で確認することにより、先に入力した修正指示の内容が適正か否かをオペレータが容易に判断することが可能となる。なお、この際、処理対象画像の指定は既に終了しているので、ステップ３１０の判定は肯定判定となってステップ３１２〜ステップ３１６の処理を行うことなくステップ３１８に移行し、ＲＡＭ６８に既に記憶されている処理対象画像の位置に対応するシミュレーション画像の強調表示が行われる。
【０１１４】
ステップ３０２〜３２８の処理は、オペレータにより、ディスプレイ１８に強調表示されている全てのシミュレーション画像のコマ位置及び画質が各々適正と判定され、検定結果として「検定ＯＫ」を表す情報が入力される迄（ステップ３２４の判定が否定される迄）繰り返され、強調表示されているシミュレーション画像に対応する各フィルム画像のコマ位置や処理条件がオペレータからの指示に応じて修正される。そして、オペレータからキーボード１２Ａ等を介して「検定ＯＫ」を表す情報が入力され、ステップ３２４の判定が否定されると、ステップ３３０へ移行して、読取対象の写真フィルム２２に記録されている全てのフィルム画像に対して画像検定処理を行ったか否か判定する。判定が否定された場合にはステップ３００に戻り、ステップ３００以降の処理を繰り返す。これにより、読取対象の写真フィルム２２に記録されているフィルム画像のうちの処理対象とする画像（本実施形態ではファインスキャンすべき画像）の指定が行われると共に、処理対象とする画像に対する画像検定処理が行われ、画像処理部１６で判定されたコマ位置や演算された処理条件が適正か否かが判定されると共に、必要に応じてコマ位置や処理条件が修正されることになる。
【０１１５】
以上の画像検定処理が終了すると（ステップ３３０の判定が肯定されると）、図８のステップ２１０では、フィルム画像のファインスキャンを行うための準備として、フィルムキャリア３８に対して、写真フィルム２２の搬送方向を上記所定方向と逆の方向（図２矢印Ｃ方向の逆方向）とするように指示し、次のステップ２１２では、ファインスキャン処理を行う。なお、本実施形態におけるファインスキャン処理では、処理対象とするフィルム画像の読み取りに関する期間以外の期間においては、写真フィルム２２をフィルムキャリア３８によってフィルムキャリア３８の最高速度（５×ｖ）で搬送することによりファインスキャンの全体的な処理時間を短縮している。次に図１２のフローチャートを参照して、ファインスキャン処理について説明する。
【０１１６】
まず、ステップ４００では、これからファインスキャンを行うフィルム画像（この場合は所定方向と逆の方向への写真フィルム２２の搬送で最初に読取位置に到達する処理対象とするフィルム画像）の種別を取り込み、前記フィルム画像の種別が何であるかを判定し、該種別に応じた読取条件を設定可能な時点に読取位置に位置する写真フィルム２２上の位置（以下、設定可能位置と称する。）を算出する。
【０１１７】
すなわち、本実施形態における画像読取装置のファインスキャンでは、フィルム画像の種別に応じてフィルム画像毎にラインＣＣＤスキャナ１４の各部の状態を設定するが、この設定には設定内容等に応じた長さの期間を要するため、次に読み取るフィルム画像の搬送方向先端が読取位置に到達した時点から各部の状態の設定を開始したのでは前記フィルム画像の読み取りを行うことができない。そこでステップ４００では、次に読み取るフィルム画像の種別に応じた各部の状態の設定を当該フィルム画像の読み取りに先立って終了することができる写真フィルム上の位置がどこであるのかを求めている。
【０１１８】
具体的には、本実施形態では、フィルムキャリア３８による写真フィルム２２の搬送速度をファインスキャン時の搬送速度（ｖ）で一定とすると共に、これから読み取るフィルム画像の種別に応じて、ランプ３２による光量を絞り３９により調整しかつラインＣＣＤ１１６の電荷蓄積時間をラインＣＣＤ１１６に備えられた電子シャッタによって調整する形態とされており、ステップ４００では、これらの調整が終了可能な期間に写真フィルム２２が搬送される距離を、これからファインスキャンするフィルム画像の搬送方向先端から溯った写真フィルム２２上の位置を算出する。
【０１１９】
なお、写真フィルム２２の搬送速度は、読取対象とするフィルム画像の濃度等に応じて切替える形態としてもよい。
【０１２０】
次のステップ４０２では、ステップ４００で算出した、これからファインスキャンするフィルム画像の上記設定可能位置が読取位置に対して写真フィルム２２の搬送方向下流側に位置しているか否かを判定し、下流側に位置している場合はステップ４０４に移行して写真フィルム２２の高速搬送を開始した後にステップ４１２へ移行する。なお、この際の搬送速度は、上述したプレスキャン時の搬送速度と同様の５×ｖ、すなわち、フィルムキャリア３８の最高速度とする。
【０１２１】
一方、上記ステップ４０２の判定の結果、下流側に位置していないと判定された場合にはステップ４０６へ移行して、設定可能位置が読取位置に対して写真フィルム２２の搬送方向上流側に位置しているか否かを判定し、上流側に位置している場合はステップ４０８へ移行して写真フィルム２２の搬送方向の逆転をフィルムキャリア３８に指示し、次のステップ４１０で写真フィルム２２の通常速度（ｖ）による搬送を開始した後にステップ４１２へ移行する。すなわち、この場合の写真フィルム２２の搬送方向は、プレスキャン時と同様の図２矢印Ｃ方向となる。
【０１２２】
ステップ４１２では、上記ステップ４００で算出した設定可能位置の読取位置への到達待ちを行い、その後ステップ４１４へ移行して写真フィルム２２の搬送を停止する。一方、上記ステップ４０６の判定の結果、設定可能位置が搬送方向上流側に位置していない場合は、設定可能位置が読取位置に位置していると見做してステップ４１４へ移行して写真フィルム２２の搬送を停止する。
【０１２３】
すなわち、上記ステップ４００〜ステップ４１４の処理によって、これからファインスキャンするフィルム画像の設定可能位置が読取位置に対してファインスキャン時の写真フィルム２２の搬送方向下流側に位置している場合は、設定可能位置が読取位置に到達するまでフィルムキャリア３８の最高速度で写真フィルム２２を搬送し、同じく上流側に位置している場合には、設定可能位置が読取位置に位置されるように写真フィルム２２を戻している。
【０１２４】
次のステップ４１６では、フィルムキャリア３８による写真フィルム２２の搬送速度を、これからファインスキャンするフィルム画像の種別に応じた速度に切替えた後に写真フィルム２２の搬送を開始する。ここで、この時点の写真フィルム２２の搬送方向がファインスキャン時の搬送方向となっていない場合、すなわち上記ステップ４０８によって写真フィルム２２の搬送方向が図２矢印Ｃ方向とされている場合には、搬送方向の逆転をフィルムキャリア３８に指示した後に搬送を開始する。
【０１２５】
次のステップ４１８では、これからファインスキャンを行うフィルム画像の種別に適した読取条件で処理対象とするフィルム画像に対するファインスキャンが行われるように、ラインＣＣＤスキャナ１４の各部の作動を制御する。すなわち、これからファインスキャンを行うフィルム画像の種別に応じたファインスキャンモードの設定を行う。なお、ステップ４００〜ステップ４１４の処理によって、写真フィルム２２は、これからファインスキャンを行うフィルム画像の種別に適した各部の設定が可能な位置に位置されているので、本ステップ４１８による設定は、当該フィルム画像の読み取り開始までに確実に完了することができる。
【０１２６】
次のステップ４２０では、画像処理部１６の図示しない記憶部に記憶されたコマ位置に基づき、これからファインスキャンを行うフィルム画像のエッジがラインＣＣＤ１１６の読取位置（光軸位置）に到達したか否か判定し、判定が肯定される迄待機する。
【０１２７】
ステップ４２０の判定が肯定されるとステップ４２２へ移行し、読取位置に到達したフィルム画像をラインＣＣＤ１１６によって読み取り、ラインＣＣＤ１１６から出力された信号に対して順次Ａ／Ｄ変換を行ってファインスキャン画像データとして画像処理部１６へ順次出力するファインスキャンを行う。これにより、フィルム画像の種別毎に最適な読取条件で前記フィルム画像のファインスキャンが行われることになる。
【０１２８】
なお、ラインＣＣＤスキャナ１４から画像処理部１６に出力されたファインスキャン画像データは、先に記憶された処理条件で画像処理部１６において画像処理が行われ、図示しないレーザプリンタ部へ出力されてプリントされる。また、本画像読取処理が焼き増し時に実行されている場合は、画像検定処理時にオペレータによって入力された処理対象画像毎の焼き増し枚数をレーザプリンタ部へ出力することにより、処理対象画像毎に指定された枚数分プリントされるようにする。
【０１２９】
単一のフィルム画像に対するファインスキャンを完了するとステップ４２４へ移行し、上記画像検定処理においてオペレータから指定された処理対象とする全てのフィルム画像に対するファインスキャンを終了したか否か判定する。判定が否定された場合にはステップ４００に戻り、ステップ４００〜４２４を繰り返す。このステップ４００〜４２４により、上記画像検定処理においてオペレータから指定された処理対象とする各フィルム画像の種別に応じた最適な読取条件で、各フィルム画像のファインスキャンが各々行われる。そして、ステップ４２４の判定が肯定されるとステップ４２６へ移行して、写真フィルム２２の高速搬送（本実施形態では５×ｖ）をフィルムキャリア３８に対して指示することにより写真フィルム２２を高速に排出した後に、本ファインスキャン処理を終了し、図８に示した画像読取処理を終了する。
【０１３０】
次に、図１３を参照して、処理対象画像（ファインスキャンするフィルム画像）が１画像である場合と、処理対象画像が隣接した２画像でかつ後に読み取る画像に適した各部の設定が通常では間に合わない場合の画像読取処理の状態について説明する。なお、図１３は、写真フィルムに対する読取位置の相対的な位置の移動を「開始」から「終了」に至る矢印で示した概念図である。
【０１３１】
処理対象画像が１画像である場合は、図１３（Ａ）に示すように、予め定められたプレスキャン時の速度（本実施形態では５×ｖ）で搬送されている写真フィルム２２の全てのフィルム画像１２４のプレスキャンが行われた後に、図９に示した画像検定処理によって処理対象とするフィルム画像（図１３（Ａ）ではフィルム画像１２４Ｓ）の指定及び指定されたフィルム画像１２４Ｓの検定が行われる。
【０１３２】
その後、写真フィルム２２の搬送方向が逆転されて写真フィルム２２の搬送が開始され、写真フィルム２２は処理対象画像１２４Ｓの読み取り開始位置１３０Ａから処理対象画像１２４Ｓの種別に適した各部の設定が可能な設定可能期間に相当する設定可能区間１２８に相当する距離を溯った位置に至る高速搬送区間１２６Ａの間は高速（本実施形態では５×ｖ）に搬送される。
【０１３３】
その後、写真フィルム２２の搬送速度が処理対象画像１２４Ｓの種別に適した速度（図１３（Ａ）ではファインスキャン速度と表現）に切替えられると共に、処理対象画像１２４Ｓの種別に適した各部の設定が行われた後に、読み取り開始位置１３０Ａから読み取り終了位置１３０Ｂまでの間に処理対象画像１２４Ｓの読み取りが行われ、その後、写真フィルム２２は高速搬送区間１２６Ｂにおいて高速（本実施形態では５×ｖ）に搬送されてフィルムキャリア３８から排出される。
【０１３４】
一方、処理対象画像が隣接する２画像でかつ後に読み取る画像に適した各部の設定が通常では間に合わない場合は、図１３（Ｂ）に示すように、プレスキャン時の速度（本実施形態では５×ｖ）で搬送されている写真フィルム２２の全てのフィルム画像１２４のプレスキャンが行われた後に、図９に示した画像検定処理によって処理対象とするフィルム画像（図１３（Ｂ）ではフィルム画像１２４Ｓ及び１２４Ｓ'）の指定及び指定されたフィルム画像１２４Ｓ及び１２４Ｓ'の検定が行われる。
【０１３５】
その後、写真フィルム２２の搬送方向が逆転されて写真フィルム２２の搬送が開始され、写真フィルム２２は処理対象画像１２４Ｓの読み取り開始位置１３０Ａから処理対象画像１２４Ｓの種別に適した各部の設定が可能な設定可能期間に相当する設定可能区間１２８に相当する距離を溯った位置に至る高速搬送区間１２６Ａの間は高速（本実施形態では５×ｖ）に搬送される。
【０１３６】
その後、写真フィルム２２の搬送速度が処理対象画像１２４Ｓの種別に適した速度（図１３（Ｂ）ではファインスキャン速度と表現）に切替えられると共に、処理対象画像１２４Ｓの種別に適した各部の設定が行われた後に、読み取り開始位置１３０Ａから読み取り終了位置１３０Ｂの間に処理対象画像１２４Ｓの読み取りが行われる。
【０１３７】
処理対象画像１２４Ｓの読み取りが終了すると、通常は次の処理対象画像１２４Ｓ'の読み取りに関する期間に至るまで写真フィルム２２は高速に搬送されるが、ここでは、図１３（Ｂ）に示したように、次の処理対象画像１２４Ｓ'が処理対象画像１２４Ｓに隣接している等のために、処理対象画像１２４Ｓの読み取り終了位置１３０Ｂから処理対象画像１２４Ｓ'の読み取り開始位置１３０Ａ'までの間に処理対象画像１２４Ｓ'の種別に適した各部の設定ができないため、処理対象画像１２４Ｓ'の設定可能期間に相当する設定可能区間１２８'に相当する距離を溯った位置まで写真フィルム２２が逆方向に搬送される。
【０１３８】
その後、写真フィルム２２の搬送方向がファインスキャン時の搬送方向に再度切替えられて処理対象画像１２４Ｓ'の種別に適したファインスキャン速度の写真フィルム２２の搬送が開始されると共に処理対象画像１２４Ｓ'の種別に適した各部の設定が行われた後に、読み取り開始位置１３０Ａ'から読み取り終了位置１３０Ｂ'までの間に処理対象画像１２４Ｓ'の読み取りが行われ、その後、写真フィルム２２は高速搬送区間１２６Ｂにおいて高速（本実施形態では５×ｖ）に搬送されてフィルムキャリア３８から排出される。
【０１３９】
以上詳細に説明したように、本第１実施形態に係る画像読取装置では、ファインスキャン時において、次にファインスキャンを行う処理対象画像（読取対象画像）の読み取り開始位置の近傍に至るまで写真フィルムを高速に搬送しているので、画像読取処理の全体的な処理時間を短縮することができる。
【０１４０】
また、本第１実施形態に係る画像読取装置では、隣接する処理対象とするフィルム画像における後に処理を行うフィルム画像の読み取り開始までに該後に処理を行うフィルム画像の読取条件が設定できない場合には読取条件が設定可能な位置まで写真フィルムを戻しているので、処理対象とするフィルム画像毎に確実に読取条件の設定を行うことができる。
【０１４１】
更に、本第１実施形態に係る画像読取装置では、全ての処理対象画像のファインスキャンが終了した時点で、高速に写真フィルムを排出しているので、画像読取処理の全体的な処理時間をより短縮することができる。
【０１４２】
なお、本第１実施形態では、高速搬送区間における搬送速度をプレスキャン時と同一の搬送速度とした場合について説明したが、本発明はこれに限定されるものではなく、フィルムキャリアをプレスキャンの画像読み取り時における搬送速度（５×ｖ）より高速搬送可能に構成し、この搬送速度で上記高速搬送区間において写真フィルムを搬送する形態としてもよい。この場合、本実施形態に比較して、画像読取処理の全体的な処理時間を、より短縮することができる。
【０１４３】
〔第２実施形態〕
上記第１実施形態では処理対象とする画像を画像検定処理時にキーボード等を介してオペレータが指定する一形態について説明したが、本第２実施形態では読取対象原稿がＡＰＳフィルムであり、該ＡＰＳフィルムに設けられた磁気層に対して予め処理対象とするフィルム画像を示す情報を記録しておき、該情報を読み取ることによって処理対象画像を指定する場合の一形態について説明する。
【０１４４】
まず、図１４及び図１５を参照して、本第２実施形態に係る画像読取装置の構成を説明する。なお、図１４及び図１５における各々図６及び図７と同様の部分については同一の符号を付して、その説明を省略する。
【０１４５】
図１４に示すように、本第２実施形態に係る画像読取装置は、上記第１実施形態に係る画像読取装置に対して、フィルムキャリア３８に写真フィルム２２（本第２実施形態ではＡＰＳフィルム）の磁気層に記録された情報を読み取る磁気読取部７１、及び写真フィルム２２の磁気層に各種の情報を記録する磁気記録部７２を備えている点のみが相違している。なお、磁気読取部７１は同図紙面手前側に位置され、磁気記録部７２は同図紙面奥手側に位置されている。
【０１４６】
図１５に示すように、磁気読取部７１及び磁気記録部７２はラインＣＣＤスキャナ１４のマイクロプロセッサ４６に接続されている。従って、本第２実施形態に係る画像読取装置では、マイクロプロセッサ４６によって写真フィルム２２の磁気層からの各種情報の読み取りや、写真フィルム２２の磁気層への各種情報の記録を行うことができる。
【０１４７】
次に、本第２実施形態の作用として、ラインＣＣＤスキャナ１４のマイクロプロセッサ４６によって実行される写真フィルム２２の画像読取時の処理について、図１６を参照して説明する。なお、図１６は、写真フィルム２２の画像読取時にマイクロプロセッサ４６で実行される画像読取処理のフローチャートであり、同図における図８と同様の処理を行うステップについては図８と同一のステップ番号を付して、その説明を省略する。また、本処理の実行に先立って、写真フィルム２２の磁気層には、処理対象とするフィルム画像を示す情報が予め記録されている。
【０１４８】
同図のステップ２０３では、磁気読取部７１によってプレスキャン中の写真フィルム２２の磁気層から処理対象とするフィルム画像を示す情報を読み取り、処理対象とするフィルム画像に対応するコマ番号をＲＡＭ６８の所定領域に記憶する。
【０１４９】
ステップ２０８'では、図１７に示す画像検定処理２を実行する。なお、同図における図９と同様の処理を行うステップについては図９と同一のステップ番号を付して、その説明を省略する。
【０１５０】
図１７に示すように、本第２実施形態における画像検定処理２では、上記第１実施形態における画像検定処理の処理対象画像の指定に関する部分（ステップ３１０乃至ステップ３１６）が無い点が上記第１実施形態と大きく相違している。すなわち、上記第１実施形態では、処理対象とする画像をオペレータによってキーボード１２Ａ、１２Ｂ、及びマウス２０の何れかを介して入力する形態であったが、本第２実施形態では、上述したように写真フィルム２２の磁気層に処理対象とするフィルム画像を示す情報を予め記憶しておき、該磁気層をプレスキャン時に読み取ることによって処理対象とするフィルム画像のコマ番号を取得しているので、オペレータによる処理対象とするフィルム画像の指定を行う必要がないのである。
【０１５１】
従って、図１７に示すステップ３１８'では、図１６におけるステップ２０３においてＲＡＭ６８の所定領域に記憶しておいたコマ番号を読み出し、該コマ番号に対応するフィルム画像が指定されたフィルム画像であると見なして強調表示を行う。
【０１５２】
以上の画像検定処理２が終了した後に上記第１実施形態と同様にファインスキャンを行う。
【０１５３】
以上詳細に説明したように、本第２実施形態に係る画像読取装置では、上記第１実施形態に係る画像読取装置と同様の効果を奏することができると共に、処理対象とするフィルム画像を示す情報を写真フィルムの磁気層に対して予め記録しておき、該情報を読み取ることによって処理対象とするフィルム画像のコマ番号を指定しているので、オペレータによって画像検定処理時等に指定する場合に比較して、オペレータの負担を軽減することができる。
【０１５４】
なお、本第２実施形態では、写真フィルム２２が磁気層を備えた所謂ＡＰＳフィルムである場合において、上記磁気層に予め処理対象とするフィルム画像のコマ番号を示す情報を記録しておき、該情報を読み取ることによって処理対象とするフィルム画像を指定する場合について説明したが、本発明はこれに限定されるものではなく、写真フィルム２２に予め処理対象とするフィルム画像のコマ番号を示す情報をバーコードとして記録しておき、該バーコードを読み取ることによって処理対象とするフィルム画像を指定する形態とすることもできる。また、本実施形態に係る画像読取装置にハードディスク等の記憶手段やメモリカード、フロッピィディスク等の記録媒体を読み取る読取手段を備えておき、上記記憶手段や上記記録媒体に予め読み取り対象とするフィルム画像を示す情報を記録しておいて、該情報を入力することによって指定する形態とすることもできる。
【０１５５】
〔第３実施形態〕
上記第１実施形態では、図１２に示すファインスキャン処理において設定可能位置が搬送方向下流側に位置している場合（ステップ４０２が肯定判定である場合）には無条件に写真フィルム２２を高速搬送する場合の一形態について説明したが、本第３実施形態では高速搬送した方がよい場合である所定の条件を満足している場合にのみ高速搬送する一形態、すなわち請求項４記載の発明の一実施形態について説明する。なお、本第３実施形態に係る画像読取装置の構成は上記第１実施形態と同様であるので、ここでの説明は省略する。
【０１５６】
次に、本第３実施形態の作用として、ラインＣＣＤスキャナ１４のマイクロプロセッサ４６によって実行される写真フィルム２２の画像読取時の処理について、図１８を参照して説明する。なお、図１８は、写真フィルム２２の画像読取時にマイクロプロセッサ４６で実行される画像読取処理のフローチャートであり、同図における図８と同様の処理を行うステップについては図８と同一のステップ番号を付して、その説明を省略する。
【０１５７】
同図に示すように、本第３実施形態に係る画像読取時の処理では、上記１実施形態におけるステップ２１２のファインスキャン処理が、所定の条件に応じて高速搬送制御を行うファインスキャン処理２（ステップ２１２'）とされている点のみが上記第１実施形態と相違している。
【０１５８】
次に、図１９を参照してファインスキャン処理２について説明する。なお、同図における図１２と同様の処理を行うステップについては図１２と同一のステップ番号を付して、その説明を省略する。
【０１５９】
同図におけるステップ４０３では、所定の条件に基づいて、設定可能位置が読取位置に到達するまで高速搬送した方がよいか否かを判定し、高速搬送した方がよいと判定された場合（肯定判定の場合）はステップ４０４へ移行して写真フィルム２２の高速搬送を開始した後にステップ４１２へ移行し、高速搬送した方がよくはないと判定された場合（否定判定の場合）にはステップ４０５へ移行して写真フィルム２２の通常速度（ｖ）による搬送を開始した後にステップ４１２へ移行する。
【０１６０】
なお、本第３実施形態における上記所定の条件は、現在の読取位置から次に読み取るフィルム画像の読み取り開始位置までの距離が２フィルム画像分以上離れているか否かであり、２フィルム画像分以上離れている場合にのみ高速搬送するものとする。すなわち、読み取り対象とするフィルム画像を高精度に読み取るためには写真フィルム２２が当該フィルム画像の濃度等に応じた所定の搬送速度で安定して搬送されていることが要求されるが、高速搬送した後に上記所定の搬送速度に移行するためには減速、一旦停止、加速等のための所定の時間が必要であり、本実施形態に係る画像読取装置では、次に読み取るフィルム画像の読み取り開始位置までの距離が少なくとも２フィルム画像分離れていないと結果的に全体的な処理時間を短縮することができないのである。そこで、本実施形態では、上記所定の条件を次に読み取るフィルム画像の読み取り開始位置までの距離が２フィルム画像分以上離れていることとしている。
【０１６１】
すなわち、図２０に示すように、例えば処理対象画像（ファインスキャンするフィルム画像）が２フィルム画像分以上離れたフィルム画像１２４Ｓ及びフィルム画像１２４Ｓ'の２画像である場合には、プレスキャン時の速度（本実施形態では５×ｖ）で搬送されている写真フィルム２２の全てのフィルム画像１２４のプレスキャンが行われた後に、図９に示した画像検定処理によって処理対象とするフィルム画像１２４Ｓ及び１２４Ｓ'の指定及び指定されたフィルム画像１２４Ｓ及び１２４Ｓ'の検定が行われる。
【０１６２】
その後、写真フィルム２２の搬送方向が逆転されて写真フィルム２２の搬送が開始され、写真フィルム２２はフィルム画像１２４Ｓの読み取り開始位置１３０Ａからフィルム画像１２４Ｓの種別に適した各部の設定が可能な設定可能期間に相当する設定可能区間１２８に相当する距離を溯った位置に至る高速搬送区間１２６Ａの間は高速（本実施形態では５×ｖ）に搬送される。
【０１６３】
その後、写真フィルム２２の搬送速度がフィルム画像１２４Ｓの種別に適した速度（図２０ではファインスキャン速度と表現）に切替えられると共に、フィルム画像１２４Ｓの種別に適した各部の設定が行われた後に、読み取り開始位置１３０Ａから読み取り終了位置１３０Ｂの間にフィルム画像１２４Ｓの読み取りが行われる。
【０１６４】
フィルム画像１２４Ｓの読み取りが終了すると、次のフィルム画像１２４'はフィルム画像１２４Ｓから２フィルム画像分以上離れているために高速搬送した方がよいと判定され、写真フィルム２２はフィルム画像１２４Ｓ'の読み取り開始位置１３０Ａ'からフィルム画像１２４Ｓ'の種別に適した各部の設定が可能な設定可能期間に相当する設定可能区間１２８Ｂに相当する距離を溯った位置に至る高速搬送区間１２６Ｂの間を高速（本実施形態では５×ｖ）に搬送される。
【０１６５】
その後、写真フィルム２２の搬送速度がフィルム画像１２４Ｓ'の種別に適した速度（ファインスキャン速度）に切替えられると共に、フィルム画像１２４Ｓ'の種別に適した各部の設定が行われた後に、読み取り開始位置１３０Ａ'から読み取り終了位置１３０Ｂ'の間にフィルム画像１２４Ｓ'の読み取りが行われ、その後に写真フィルム２２は高速搬送区間１２６Ｃにおいて高速に搬送されてフィルムキャリア３８から排出される。
【０１６６】
以上詳細に説明したように、本第３実施形態に係る画像読取装置では、所定の条件に基づいて写真フィルムを高速搬送した方がよいか否かを判定し、高速搬送した方がよい場合にのみ高速搬送しているので、確実に全体的な処理時間を短縮することができる。
【０１６７】
なお、本第３実施形態では、高速搬送した方がよいことを示す所定の条件を、現在の読取位置から次に読み取るフィルム画像の読み取り開始位置までの距離が２フィルム画像分以上離れていることとした場合について説明したが、本発明はこれに限定されるものではなく、上記所定の条件としては、複数又は１つの同一フィルム画像を異なる読み取り条件で同一読み取り開始位置から複数回繰り返して読み取ること、読取対象原稿が磁気層を備えた写真感光材料（所謂ＡＰＳフィルム）である際に次の読み取り対象とするフィルム画像の読み取り開始位置が各種情報の磁気層への記録又は磁気層からの読み取りを行うに必要な安定した搬送速度が確保できる位置であること、等を適用することができる。
【０１６８】
〔第４実施形態〕
上記各実施形態では、ファインスキャン時にのみ高速搬送を行なう場合の形態について説明したが、本第４実施形態ではプレスキャン時においても高速搬送を行なう場合の実施形態について説明する。
【０１６９】
まず、図２１を参照して、本第４実施形態に係る画像読取装置の構成を説明する。なお、図２１における図６と同様の部分については同一の符号を付して、その説明を省略する。
【０１７０】
図２１に示すように、本第４実施形態に係る画像読取装置は、上記第１実施形態に係る画像読取装置に対して、フィルムキャリア３８が写真フィルム２２の搬送速度の最速値が７×ｖ（通常のフィルム画像のファインスキャン時における搬送速度をｖとした場合の７倍の搬送速度）とされたフィルムキャリア３８'とされている点のみが相違している。すなわち、本第４実施形態に係る画像読取装置におけるフィルムキャリア３８'の搬送速度の最速値は、第１実施形態に係る画像読取装置のフィルムキャリア３８の最速値（５×ｖ）に比較して、より高速とされている。
【０１７１】
次に、本第４実施形態の作用として、ラインＣＣＤスキャナ１４のマイクロプロセッサ４６によって実行される写真フィルム２２の画像読取時の処理について、図２２を参照して説明する。なお、図２２は、写真フィルム２２の画像読取時にマイクロプロセッサ４６で実行される画像読取処理のフローチャートであり、同図における図８と同様の処理を行うステップについては図８と同一のステップ番号を付して、その説明を省略する。
【０１７２】
同図に示すように、本第４実施形態に係る画像読取時の処理では、上記第１実施形態におけるステップ２００の処理の次に読み取り対象とするフィルム画像を示す情報を設定するステップ２０１が追加されていると共に、ステップ２０２のプレスキャン開始の処理が読み取り対象とするフィルム画像のみのプレスキャンを開始する処理（ステップ２０２'）とされ、かつステップ２０４のプレスキャン終了の判定処理が読み取り対象とするフィルム画像のみを対象とした判定処理（ステップ２０４'）とされており、更にステップ２０８の画像検定処理が上記第２実施形態で説明した画像検定処理２（ステップ２０８'）とされている点が上記第１実施形態と相違している。
【０１７３】
すなわち、図２２におけるステップ２０１では、読み取り対象とするフィルム画像を示す情報、本実施形態では読み取り対象とするフィルム画像の位置を示す情報を設定する。なお、本設定は上述した第２実施形態と同様に、写真フィルム２２が磁気層を有したＡＰＳフィルムである場合には該磁気層に読み取り対象とするフィルム画像の位置を示す情報を予め記録しておき、該情報を読み取ることによって設定する形態、写真フィルム２２に予め読み取り対象とするフィルム画像の位置を示す情報をバーコードとして記録しておき、該バーコードを読み取ることによって読み取り対象とするフィルム画像を設定する形態、本実施形態に係る画像読取装置にハードディスク等の記憶手段やメモリカード、フロッピィディスク等の記録媒体を読み取る読取手段を備えておき、上記記憶手段や上記記録媒体に予め読み取り対象とするフィルム画像を示す情報を記録しておいて、該情報を入力することによって設定する形態等を適用することができる。
【０１７４】
読み取り対象とするフィルム画像を示す情報の設定が終了すると、次のステップ２０２'では、フィルムキャリア３８'に対し、所定方向（図２の矢印Ｃ方向）への写真フィルム２２の搬送を指示し、プレスキャンにおける画像読み取り時の搬送速度（５×ｖ）で搬送される写真フィルム２２をラインＣＣＤ１１６によって最短の読取周期（ｔ）で読み取り、ラインＣＣＤ１１６から出力された信号に対して順次Ａ／Ｄ変換を行ってプレスキャンデータとして画像処理部１６へ順次出力するプレスキャンを開始する。なお、本第４実施形態では、上記ステップ２０１において設定した読み取り対象とするフィルム画像を示す情報に基づいて該読み取り対象とするフィルム画像の読み取り開始位置からプレスキャンにおける画像読み取り時の搬送速度（本実施形態では５×ｖ）への移行が可能な期間に相当する距離を遡った位置までは写真フィルム２２をフィルムキャリア３８'の最速値（本実施形態では７×ｖ）で搬送し、読み取り対象とするフィルム画像の読み取り時にはプレスキャンにおける画像読み取り時の搬送速度で搬送する。
【０１７５】
次のステップ２０４'では、写真フィルム２２の搬送方向における最後の読み取り対象とするフィルム画像のプレスキャンが終了したか否か判定し、判定が肯定される迄待機した後にステップ２０６へ移行する。
【０１７６】
その後、ステップ２０８'では、上記第２実施形態で説明した画像検定処理２、すなわち、処理対象とするフィルム画像の指定を行なわない画像検定処理を実施する。
【０１７７】
以上詳細に説明したように、本第４実施形態に係る画像読取装置では、フィルムキャリアの搬送速度の最速値をプレスキャンの画像読み取り時における搬送速度より速い速度とし、かつプレスキャンに先立って読み取り対象とするフィルム画像を示す情報を設定すると共に、ファインスキャンのみならずプレスキャンにおいても画像読み取りに関わる期間以外の期間についてはプレスキャンの画像読み取り時における搬送速度より速く写真フィルムを搬送しているので、より画像読取処理の全体的な処理時間を短縮することができる。
【０１７８】
また、本第４実施形態に係る画像読取装置では、読み取り対象とするフィルム画像のプレスキャンを終了した時点で写真フィルムの搬送方向を逆転してファインスキャンに移行しているので、プレスキャンにおいて写真フィルムの後端まで写真フィルムを搬送した後にファインスキャンに移行する場合に比較して、より画像読取処理の全体的な処理時間を短縮することができる。
【０１７９】
なお、上記各実施形態では、ファインスキャン時に処理対象画像毎にラインＣＣＤスキャナ１４の各部の設定を行う形態に本発明を適用した場合について説明したが、本発明はこれに限定されるものではなく、例えば、ファインスキャン開始前に１回のみ読み取り対象とする写真フィルムに適した各部の設定を行い、ファインスキャンは全ての処理対象画像に対して同一の設定状態で行う形態に本発明を適用してもよい。この場合は、処理対象画像の読み取り開始位置に至るまで写真フィルムを高速搬送する形態とすることにより、本実施形態に比較して、より処理時間を短縮することができる。
【０１８０】
また、上記第１実施形態及び第３実施形態では、オペレータが処理対象とする画像をキーボードを用いて指定する場合、当該キーボードの矢印キーを用いて指定する場合について説明したが、本発明はこれに限定されるものではなく、例えばディスプレイ１８に表示された各シミュレーション画像に対して、各々のシミュレーション画像に対応する写真フィルム２２上のコマ番号を予め当該シミュレーション画像の近傍に表示しておき、キーボードに設けられた図示しないテンキーを用いて処理対象とする画像のコマ番号を入力する形態としてもよい。
【０１８１】
また、上記各実施形態では、処理対象とする画像を強調表示する形態として、図１１（Ａ）〜（Ｄ）に示した形態を適用する場合について説明したが、本発明はこれに限定されるものではなく、例えば処理対象とする画像に対応するシミュレーション画像及び処理対象としない画像に対応するシミュレーション画像の何れか一方のみをブリンク表示する、処理対象としない画像に対応するシミュレーション画像をリバース表示する等の形態を適用してもよい。
【０１８２】
また、上記各実施形態では、ラインＣＣＤ１１６に設けられた色分解フィルタの退色を防止するために、ＣＣＤシャッタ５２によりラインＣＣＤ１１６への光を遮光する場合について説明したが、本発明はこれに限定されるものではなく、例えば、絞り３９を用いて遮光する形態としてもよい。
【０１８３】
また、上記各実施形態では、写真フィルム２２がネガフィルムである場合について説明したが、本発明はこれに限定されるものではなく、リバーサルフィルム（ポジフィルム）の読み取りに対しても本発明は適用できることはいうまでもない。
【０１８４】
また、上記各実施形態では、本発明の画像センサとしてラインＣＣＤ１１６を適用した場合について説明したが、本発明はこれに限定されるものではなく、エリアＣＣＤを適用する形態としてもよく、ＣＣＤ以外の光電変換素子を適用する形態としてもよい。
【０１８５】
さらに、以上説明したターレット（図４（Ｂ）参照）に限定されず、図２３に示すように、赤光を吸収するシアンフィルタ用のターレット３６Ｃ、緑光を吸収するマゼンタフィルタ用のターレット３６Ｍ、及び青紫光を吸収するイエローフィルタ用のターレット３６Ｙにより構成してもよい。ターレット３６Ｃは、濃度の異なる複数のシアンフィルタ３６Ｃ１、３６Ｃ２、３６Ｃ３が嵌め込まれている。なお、シアンフィルタ３６Ｃ１、３６Ｃ２、３６Ｃ３の順に濃度が濃くなっている。その他のターレット３６Ｍ、３６Ｙも同様の構成となっている。そして、各ターレット３６Ｃ、３６Ｍ、３６Ｙは、各ターレットの選択されたフィルタ各々が光軸Ｌ上で重なるように、回転可能に支持されている。
【図面の簡単な説明】
【０１８６】
【図１】実施形態に係る画像読取装置の外観図である。
【図２】実施形態に係る画像読取装置の光学系の正面断面図である。
【図３】実施形態に係る画像読取装置の光学系の側面断面図である。
【図４】（Ａ）は絞り、（Ｂ）はターレット、（Ｃ）はレンズ絞り、（Ｄ）はＣＣＤシャッタの一例を各々示す平面図である。
【図５】ラインＣＣＤに設けられた色分解フィルタの退色による各色分解フィルタの分光透過率の変化を示すグラフである。
【図６】第１実施形態及び第３実施形態に係る画像読取装置の光学系の主要部のみを示した概略図である。
【図７】第１、第３、及び第４実施形態に係る画像読取装置のラインＣＣＤスキャナ及び画像処理部の電気系の概略構成を示すブロック図である。
【図８】第１実施形態においてラインＣＣＤスキャナのマイクロプロセッサで実行される画像読取処理のフローチャートである。
【図９】図８の画像読取処理の実行途中で実行される画像検定処理のフローチャートである。
【図１０】実施形態における画像検定処理実行時のディスプレイの表示状態の一例を示す概略図である。
【図１１】オペレータによって指定された処理対象とするフィルム画像に対応するシミュレーション画像の強調表示の例を示す概略図である。
【図１２】図８の画像読取処理の実行途中で実行されるファインスキャン処理のフローチャートである。
【図１３】画像読取処理時における写真フィルムに対するラインＣＣＤの相対的な位置関係を示す概念図であり、（Ａ）は処理対象画像が１画像である場合の状態を示す図、（Ｂ）は処理対象画像が隣接しており、後に読み取る側の画像の条件設定が通常では間に合わない場合の状態を示す図である。
【図１４】第２実施形態に係る画像読取装置の光学系の主要部のみを示した概略図である。
【図１５】第２実施形態に係る画像読取装置のラインＣＣＤスキャナ及び画像処理部の電気系の概略構成を示すブロック図である。
【図１６】第２実施形態においてラインＣＣＤスキャナのマイクロプロセッサで実行される画像読取処理のフローチャートである。
【図１７】図１６の画像読取処理の実行途中で実行される画像検定処理２のフローチャートである。
【図１８】第３実施形態においてラインＣＣＤスキャナのマイクロプロセッサで実行される画像読取処理のフローチャートである。
【図１９】図１８の画像読取処理の実行途中で実行されるファインスキャン処理２のフローチャートである。
【図２０】第３実施形態における画像読取処理時の写真フィルムに対するラインＣＣＤの相対的な位置関係を示す概念図であり、処理対象画像が２フィルム画像分以上離れた２画像である場合の状態を示す図である。
【図２１】第４実施形態に係る画像読取装置の光学系の主要部のみを示した概略図である。
【図２２】第４実施形態においてラインＣＣＤスキャナのマイクロプロセッサで実行される画像読取処理のフローチャートである。
【図２３】ターレットの変形例を示す平面図である。
【符号の説明】
【０１８７】
１２Ａ、１２Ｂ    キーボード（指定手段）
１４    ラインＣＣＤスキャナ
１６    画像処理部
１８    ディスプレイ
２０    マウス（指定手段）
２２    写真フィルム（読取対象原稿）
３２    ランプ（光源）
３５    ＵＶ／ＩＲカットフィルタ
３６    ターレット
３８    フィルムキャリア（搬送手段）
３９    絞り
４０    拡散ボックス
４３    読取部
４６    マイクロプロセッサ（制御手段）
４７    載置台
５０    レンズユニット
５２    ＣＣＤシャッタ
５２ＮＤ  ＮＤフィルタ
７１    磁気読取部
７２    磁気記録部
１１６    ラインＣＣＤ（画像センサ）
【図１】
2006191700.tif 000003
【図２】
2006191700.tif 000004
【図３】
2006191700.tif 000005
【図４】
2006191700.tif 000006
【図５】
2006191700.tif 000007
【図６】
2006191700.tif 000008
【図７】
2006191700.tif 000009
【図８】
2006191700.tif 000010
【図９】
2006191700.tif 000011
【図１０】
2006191700.tif 000012
【図１１】
2006191700.tif 000013
【図１２】
2006191700.tif 000014
【図１３】
2006191700.tif 000015
【図１４】
2006191700.tif 000016
【図１５】
2006191700.tif 000017
【図１６】
2006191700.tif 000018
【図１７】
2006191700.tif 000019
【図１８】
2006191700.tif 000020
【図１９】
2006191700.tif 000021
【図２０】
2006191700.tif 000022
【図２１】
2006191700.tif 000023
【図２２】
2006191700.tif 000024
【図２３】
2006191700.tif 000025